(57)【要約】      （修正有）【課題】地震や衝突などの振動により内部から飛び出しそうになった収納物が扉にもたれかかっている場合、扉を開く時に落下させないよう棚板に押し戻すことができる落下防止具及び収納棚を提供する。【解決手段】収納棚に収納された物品の落下を防止するための押し込み板と、押し込み板の中央部に取り付けられたステム２２と、を有し、押し込み板は、押し込み板を収納棚の扉１１の内側に取り付けるガイド棒１２を装入するためのガイド孔２１を有し、ガイド孔２１にガイド棒１２を装入することで、押し込み板は、扉１１の内側に取り付けられており、ステム２２は、扉１１の中央部に設けられた孔２３を介して押し込み板に取り付けられており、人手操作でステム２２を移動させることにより、押し込み板が可動し、物品の落下を防止する。【選択図】図１
0003197549.tif 000002
【実用新案登録請求の範囲】
【請求項１】
収納棚に収納された物品の落下を防止するための押し込み板と、
前記押し込み板の中央部に取り付けられたステムと、
を有し、
前記押し込み板は、前記押し込み板を前記収納棚の扉の内側に取り付けるガイド棒を装入するためのガイド孔を有し、前記ガイド孔に前記ガイド棒を装入することで、前記押し込み板は、前記扉の内側に取り付けられており、
前記ステムは、前記扉の中央部に設けられた孔を介して前記押し込み板に取り付けられており、人手操作で前記ステムを移動させることにより、前記押し込み板が可動し、前記物品の落下を防止することを特徴とする落下防止具。
【請求項２】
前記ガイド孔は、前記押し込み板の四隅に設けられていることを特徴とする請求項１に記載の落下防止具。
【請求項３】
前記ステムの先端部にノブを有することを特徴とする請求項１または２に記載の落下防止具。
【請求項４】
請求項１から３のいずれか１項に記載の落下防止具を有することを特徴とする収納棚。
【考案の詳細な説明】
【技術分野】
【０００１】
本考案は、地震等による揺動時に、収納棚に収納されている物品が棚板から落下するのを防止する落下防止具及び収納棚に関する。
【背景技術】
【０００２】
従来、食器棚、本棚、薬品棚等の収納棚は、棚板に物品を出し入れする作業性を考慮し、棚板の奥行き寸法が収納棚本体の側板の奥行き寸法より８〜１０センチ程度狭くなるように構成されている。そのため、棚板と扉との間には８〜１０センチ程度の空間がある。
【０００３】
上記した食器棚、本棚、薬品棚等の収納棚の棚板に収納されている物品は、地震等の際に収納棚が揺れることにより収納棚が倒れなくとも棚板等の棚部から落下することがある。特に震度４を超える地震の場合には、この落下の恐れが非常に強くなる。そうすると、この落下物が人の身体に当たって危害を加える恐れがある上に、床上に散乱して避難時の足元を取られたり、破片や床上に壊れた物品で足をけがしたりして危険である。さらに高価な食器等の物品は落下によって破損してしまい経済的な損失にもなる。このため、地震発生時に、落下防止装置を収納棚に設けて棚部からの物品の落下を防止する落下防止装置が提案されている（例えば、特許文献１）。
【先行技術文献】
【特許文献】
【０００４】
【特許文献１】特開２０１０−０１２２００号公報
【考案の概要】
【考案が解決しようとする課題】
【０００５】
特許文献１に記載の発明は、家具、什器、棚などに収納した物品が地震や衝突などの振動により内部から飛び出すことを防止するため、地震や衝突等の振動を感知した場合に、家具、什器、棚の前面に取り付けられたブラインド状の部材が稼働して、家具、什器、棚などの前面の開口部を覆うことで物品の落下を防止する落下防止装置が開示されている。しかし、特許文献１に記載の発明は、地震や衝突等の振動を感知した場合に、ブラインド状の部材により家具、什器、棚の開口部を覆うことで落下を防止しているが、振動が停止し、ブラインド状の部材を開く時にブラインド状の部材にもたれかかっている物品の落下を防止することができないという問題があった。
【０００６】
そこで本考案は、上記問題点に鑑みてなされたものであり、その目的は、地震や衝突などの振動により内部から飛び出しそうになった収納物が扉にもたれかかっている場合、扉を開く時に落下させないよう棚板に押し戻すことができる落下防止具及び収納棚を提供することを目的とする。
【課題を解決するための手段】
【０００７】
本考案の落下防止具は、収納棚に収納された物品の落下を防止するための押し込み板と、前記押し込み板の中央部に取り付けられたステムと、を有し、前記押し込み板は、前記押し込み板を前記収納棚の扉の内側に取り付けるガイド棒を装入するためのガイド孔を有し、前記ガイド孔に前記ガイド棒を装入することで、前記押し込み板は、前記扉の内側に取り付けられており、前記ステムは、前記扉の中央部に設けられた孔を介して前記押し込み板に取り付けられており、人手操作で前記ステムを移動させることにより、前記押し込み板が可動し、前記物品の落下を防止することを特徴とする。
【０００８】
前記ガイド孔は、前記押し込み板の四隅に設けられていることを特徴とする。
【０００９】
前記ステムの先端部にノブを有することを特徴とする。
【００１０】
本考案の収納棚は、落下防止具を有することを特徴とする。
【考案の効果】
【００１１】
本考案によれば、地震や衝突などの振動により内部から飛び出しそうになった収納物が扉にもたれかかっている場合に、扉を開く時に落下させないよう棚板に押し戻すことができる落下防止具及び収納棚を提供することが可能となる。
【図面の簡単な説明】
【００１２】
【図１】本考案の実施形態に係る落下防止具１が吊り戸棚１０に取り付けられている様子を示し、（ａ）は、本考案の実施形態に係る落下防止具１が吊り戸棚１０に取り付けられている様子を示す斜視図（扉が開いている状態）であり、（ｂ）は、本考案の実施形態に係る落下防止具１が吊り戸棚１０に取り付けられている様子を示す断面図であり、（ｃ）は、本考案の実施形態に係る落下防止具１が吊り戸棚１０に取り付けられている様子を示す斜視図（扉が閉じている状態）である。
【図２】本考案の実施形態に係る落下防止具１の構成を示す図である。
【図３】本考案の実施形態に係る落下防止具１が収納物の落下を防止する動作を示す図であり、（ａ）は、本考案の実施形態に係る落下防止具１が収納物の落下を防止する前の状態を示す図であり、（ｂ）は、本考案の実施形態に係る落下防止具１が収納物の落下を防止している状態を示す図である。
【図４】本考案の実施形態に係る落下防止具を両開き戸棚に取り付けた場合の一例を示す図である。
【考案を実施するための形態】
【００１３】
本考案の実施形態に係る落下防止具は、収納棚に収納された物品の落下を防止するための押し込み板と、押し込み板の中央部に取り付けられたステムと、を有して構成されている。また、押し込み板は、扉の内側に取り付けられたガイド棒を装入するためのガイド孔を有し、ガイド孔にガイド棒を装入することで、押し込み板は、扉の内側に取り付けられており、ステムは、扉の中央部に設けられた孔を介して押し込み板に取り付けられており、人手操作でステムを移動させることにより、押し込み板が可動し、物品の落下を防止することを特徴とする。なお、本考案に係る落下防止具は、家具、例えば、食器棚、本棚、薬品棚などの収納棚などに設けられるものであり、本考案の実施形態に係る落下防止具においては、食器棚としての吊り戸棚に設けた場合について説明する。しかし、これに限定するものではない。
【００１４】
以下に図面を参照にして、本考の案実施形態に係る落下防止具の最良な実施の形態を詳細に説明する。
【００１５】
図１は、本考案の実施形態に係る落下防止具１が吊り戸棚１０に取り付けられている様子を示し、（ａ）は、本考案の実施形態に係る落下防止具１が吊り戸棚１０に取り付けられている様子を示す斜視図（扉が開いている状態）であり、（ｂ）は、本考案の実施形態に係る落下防止具１が吊り戸棚１０に取り付けられている様子を示す断面図であり、（ｃ）は、本考案の実施形態に係る落下防止具１が吊り戸棚１０に取り付けられている様子を示す斜視図（扉が閉じている状態）である。
【００１６】
図１（ａ）、（ｂ）、（ｃ）に示すように、本考案の実施形態に係る落下防止具１は、吊り戸棚１０に取り付けられた扉１１の内側に設けられている。なお、扉１１は、複数のガイド棒１２を有し、各ガイド棒１２は、落下防止具１の四隅に設けられたガイド孔２１に一つずつ装着されている。また、扉１１は、落下防止具１の中央部に取り付けられるステム２２が貫通するステム孔２３を有し、ステム２２は、扉１１に設けられたステム孔２３を介して落下防止具１の中央部に取り付けられている。なお、扉１１に設けられているステム孔２３の口径は、ステム２２の口径より大きく、落下防止具１がスムーズにスライドできるように形成されている。
【００１７】
図２は、本考案の実施形態に係る落下防止具１の構成を示す図である。図２に示すように本考案の実施形態に係る落下防止具１は、収納された物品の落下を防止するための押し込み板２０と、押し込み板２０の四隅に設けられたガイド孔２１と、押し込み板の中央部に取り付けられたステム２２と、ステム２２の先端に設けられたノブ２４と、を有する。
【００１８】
押し込み板２０は、扉１１の形状に適合するように任意の形状に形成され、四隅に設けたガイド孔２１にガイド棒１２が装着されることで扉１１に取り付けられている。ガイド孔２１の口径は、ガイド棒１２の口径より大きく、押し込み板２０がスムーズにスライドできるよう形成されている。
【００１９】
次に、図３より本考案の実施形態に係る落下防止具１が収納物の落下を防止する動作について説明する。
【００２０】
図３は、本考案の実施形態に係る落下防止具１が収納物２５の落下を防止する動作を示す図であり、（ａ）は、本考案の実施形態に係る落下防止具１が収納物２５の落下を防止する前の状態を示す図であり、（ｂ）は、本考案の実施形態に係る落下防止具１が収納物２５の落下を防止している状態を示す図である。なお、本考案の実施形態に係る吊り戸棚１０に収納される収納物２５としては、例えば、グラス、皿、コップ等がある。ただし、収納物２５は、吊り戸棚１０に収納できればよくこに限定されない。本考案の実施形態に係る吊り戸棚１０は、グラスが収納されている場合について説明する。
【００２１】
図３（ａ）に示すように、吊り戸棚１０に収納されているグラスが落下しそうな状態であった場合、本考案の実施形態に係る落下防止具１は、ステム２２の先端に設けられたノブ２４を握り、人手操作によりノブ２４を扉１１の方向に移動させる。ノブ２４の移動に伴い、ステム２２を介して押し込み板２０が移動する。
【００２２】
図３（ｂ）に示すように、本考案の実施形態に係る落下防止具１は、ノブ２４の移動に伴い、ステム２２を介して押し込み板２０が移動することで、落下しそうなグラスを棚板の奥に押し戻す。
【００２３】
以上から、地震などにより棚板から落下しそうな状態にあるグラスなどの収納物は、扉１１を開く前にあらかじめノブ２４を握りステム２２を介して押し込み板２０を可動させることで、棚板の奥に押し込み、棚板上に安定させてから静かに扉１１を開けば収納物が落下することなく安全に開くことが可能となった。また、地震の強弱、揺れの方向の違いにより棚板上の収納物はいろいろな方向に変位しているが、押し込み板２０を押し込む時にノブ２４から得られる手ごたえを感じながら注意深く数回移動させることで効果を確実なものにすることができる。
【００２４】
また、本考案の実施形態に係る落下防止具１は、耐震ロックと併用することで更に効果を得ることができる。耐震ロックとは、扉に設けられ、地震を感知した際に扉を自動でロックし、中の収納物が外に飛び出さないように扉を固定する落下防止具である。すなわち、耐震ロックは、収納物が外に飛び出すことは防止できるが、扉を開くときに扉にもたれかかっている収納物の落下は回避することはできない。よって、本考案の実施形態に係る落下防止具１を併用することで、扉を開く前に収納物を奥に押し戻せば、さらに落下防止の効果を得ることができる。
【００２５】
また、本考案の実施形態に係る落下防止具１は、図４に示すような両開き戸棚２にも応用することができる。図４は、本考案の実施形態に係る落下防止具１を両開き戸棚２に取り付けた場合の一例を示す図である。なお、図４に示すように、本考案の実施形態に係る落下防止具１が両開き戸棚２に取り付けられた場合、両開き戸棚２は、上記した吊り戸棚１の構成が左右対称の構成となるため、詳細な説明は省略する。
【００２６】
以上から、本考案の好適な実施の形態により本考案を説明した。ここでは特定の具体例を示して本考案を説明したが、実用新案登録請求の範囲に定義された本考案の広範囲な趣旨及び範囲から逸脱することなく、これら具体的に様々な修正及び変更が可能である。
【符号の説明】
【００２７】
１    落下防止具
２    両開き戸棚
１０    吊り戸棚
１１    扉
１２    ガイド棒
２０    押し込み板
２１    ガイド孔
２２    ステム
２３    ステム孔
２４    ノブ
２５    収納物
【図１】
0003197549.tif 000003
【図２】
0003197549.tif 000004
【図３】
0003197549.tif 000005
【図４】
0003197549.tif 000006